(57)【要約】【課題】射出成形機自身で容易にかつ精度良く樹脂粘度の測定を行えるようにすること。【解決手段】加熱シリンダ内のスクリューを回転させながら後退させることにより溶融樹脂の計量を行い、計量完了後にスクリューを前進させることによって射出を行うインラインスクリュー式の射出成形機において、製品を成形する工程とは別工程として、射出ノズルを金型にタッチさせない状態で溶融樹脂の射出を行うことによって、該溶融樹脂の粘度の算出を行う。【選択図】　　　図１
2004142204.tif 000002
【特許請求の範囲】
【請求項１】
加熱シリンダ内のスクリューを回転させながら後退させることにより溶融樹脂の計量を行い、計量完了後にスクリューを前進させることによって射出を行うインラインスクリュー式の射出成形機において、
製品を成形する工程とは別工程として、射出ノズルを金型にタッチさせない状態で溶融樹脂の射出を行うことによって、該溶融樹脂の粘度の算出を行うことを特徴とした射出成形機。
【請求項２】
請求項１記載において、
前記溶融樹脂の粘度は、実測射出圧力値に基づいて算出することを特徴とする射出成形機。
【請求項３】
請求項２記載において、
前記実測射出圧力値は、ロードセルによる測定値であることを特徴とする射出成形機。
【請求項４】
請求項２記載において、
前記実測射出圧力値は、射出用サーボモータのトルクより算出された値であることを特徴とする射出成形機。
【請求項５】
請求項２乃至４の何れか１項に記載において、
前記実測射出圧力値は、射出速度一定制御を行う際に実測することを特徴とする射出成形機。
【請求項６】
請求項５記載において、
前記実測射出圧力値は、射出ストロークの中間位置における実測射出圧力値とすることを特徴とする射出成形機。
【請求項７】
請求項５記載において、
前記実測射出圧力値は、射出速度一定制御による射出工程における実測射出圧力の平均値とすることを特徴とする射出成形機。
【請求項８】
請求項１乃至７の何れか１項に記載において、
下記式によって溶融樹脂の粘度η（Ｐａ・ｓｅｃ）を算出することを特徴とする射出成形機。
η＝（ｒ４×Ｐ）／（３２×Ｌ×Ｄ２×Ｖ）
ただし、ｒ：ノズル孔の直径（ｍｍ）
Ｐ：射出圧力（Ｐａ）
Ｌ：ノズルのランド長（ｍｍ）
Ｄ：スクリューの直径（ｍｍ）
Ｖ：射出速度（ｍｍ／ｓｅｃ）
【請求項９】
請求項１乃至８の何れか１項に記載において、
算出した溶融樹脂の粘度を表示手段に表示させることを特徴とする射出成形機。
【請求項１０】
加熱シリンダ内のスクリューを回転させながら後退させることにより溶融樹脂の計量を行い、計量完了後にスクリューを前進させることによって射出を行うインラインスクリュー式の射出成形機における樹脂粘度の計測方法であって、
製品を成形する工程とは別工程として、射出ノズルを金型にタッチさせない状態で溶融樹脂の射出を行うことによって、該溶融樹脂の粘度の算出を行うことを特徴とした射出成形機における樹脂粘度の計測方法。
【発明の詳細な説明】
【０００１】
【発明の属する技術分野】
本発明は、インラインスクリュー式の射出成形機において、混練・可塑化された溶融樹脂の粘度を計測するようにした技術に関するものである。
【０００２】
【従来の技術】
射出成形において、樹脂粘度（溶融樹脂の粘度）は、金型のキャビティ内への樹脂の行きわたり方に影響を及ぼす重要なファクターの１つであるが、射出成形機による樹脂粘度の測定については、ノズル先端部における樹脂圧力を測定することにより樹脂粘度を計算することが、特開平１１−１０６９３号公報に開示されている。しかし、ここで開示されているのは、ノズルを金型にタッチさせ、金型中に溶融樹脂を充填する通常の射出成形工程中において、樹脂の先端部がノズル先端部に達したときにノズル内の樹脂圧力を１箇所で測定する方法であり、樹脂の先端部がノズル先端部に達したことを検出するのが困難であったり、かつ上記公報の図７に示されているように、成形品の成形条件や使用樹脂によっては、測定樹脂圧力はオーバーシュートを伴うピーク圧力となることがあり、使用樹脂の正確な溶融粘度を得ることは難しい。
【０００３】
このため、樹脂粘度を知ろうとした場合には、キャピラリレオメータ、メルトインデクター等といった樹脂粘度測定用の専用計測器を別途用意し、この専用計測器を用いて樹脂粘度の測定を行うか、または、外部の計測サービスを行う業者に、樹脂粘度の測定を依頼していた。
【０００４】
【発明が解決しようとする課題】
ところが、上述したキャピラリレオメータ、メルトインデクター等といった専用計測器を用いた樹脂粘度の測定には時間がかかり、主として面倒であるという理由により、一般的には樹脂粘度の測定は行わずに、つまり、樹脂粘度については無視して、成形条件の設定変更を行っていた。
【０００５】
しかしながら、同一メーカの同一品種の樹脂材料を用いて、同一マシン（同一の射出成形機）で同一の成形条件下において計量動作を行っても、樹脂材料のロットが異なると、樹脂粘度にばらつきが生じ、また、樹脂材料の乾燥状態の如何によっても、樹脂粘度は変化する。このため、従来はこのような樹脂粘度のばらつきを無視して成形条件の設定変更を行っていたので、樹脂粘度を反映させた上での適切な良品成形のための条件出しがなされていないのが現状であり、安定した量産が行えないという問題があった。
【０００６】
本発明は上記の点に鑑みなされたもので、その目的とするところは、射出成形機自身で容易にかつ精度良く樹脂粘度の測定を行えるようにすることにある。
【０００７】
【課題を解決するための手段】
本発明は上記した目的を達成するために、加熱シリンダ内のスクリューを回転させながら後退させることにより溶融樹脂の計量を行い、計量完了後にスクリューを前進させることによって射出を行うインラインスクリュー式の射出成形機において、
製品を成形する工程とは別工程として、射出ノズルを金型にタッチさせない状態で溶融樹脂の射出を行うことによって、該溶融樹脂の粘度の算出を行う。
【０００８】
【発明の実施の形態】
以下、本発明の実施の形態を、図面を用いて説明する。
【０００９】
図１は、本発明の一実施形態に係る射出成形機の要部構成を示すブロック図である。
【００１０】
図１において、１はマシン（射出成形機）全体の制御を司るシステムコントローラ、２はシステムコントローラ１に接続されたキーボード装置等の入力装置、３はシステムコントローラ１に接続されたカラー液晶表示装置等の表示装置、４はマシンの各部に備えられた多数のセンサで構成されるセンサ群、５はマシンの各部に配設された多数の駆動源を駆動制御するための多数のドライバ回路で構成されたドライバ群である。
【００１１】
図１のシステムコントローラ１は、計量動作、サックバック動作、射出（１次射出および保圧）動作、型開閉動作、エジェクト動作等の成形行程全体の制御や、成形運転中の実測データの演算・格納処理、良品／不良品の判定処理、異常判定処理、樹脂粘度（溶融樹脂の粘度）の演算・格納処理などの演算・判定処理、あるいは、表示装置３の出力画像の表示制御処理等々の、各種処理を実行する。このシステムコントローラ１は、実際には、各種Ｉ／Ｏインターフェイス、ＲＯＭ、ＲＡＭ、ＣＰＵ等を具備したもので構成され、あらかじめ作成された各種プログラムにより各種処理を実行するも、本例においては、成形条件設定記憶部１１、成形プロセス制御部１２、実測値記憶部１３、樹脂粘度算出部１４、計測樹脂粘度記憶部１５、表示処理部１６などを備えたものとして、以下の説明を行う。
【００１２】
前記成形条件設定記憶部１１には、入力装置２や図示せぬメモリカードなどによって入力された各種運転条件値が、書き替え可能な形で記憶されている。この運転条件の項目としては、例えば、計量制御条件、サックバック制御条件、射出（１次射出および保圧）制御条件、型閉じ（型締め）制御条件、型開き制御条件、エジェクト制御条件、各部のバンドヒータの温度制御条件、製品自動取り出し機の制御条件等々が挙げられる。
【００１３】
前記成形プロセス制御部１２は、あらかじめ作成された成形プロセス制御プログラムと、成形条件設定記憶部１３に格納された設定条件値とに基づき、マシンの各部に配設された前記センサ群４（位置センサ、圧力センサ、回転数センサ、温度センサ等々）からの計測情報および自身に内蔵されたクロックからの計時情報を参照しつつ、前記ドライバ群５（モータドライバ（フィードバック制御を行うモータドライバ）、ヒータドライバ、流体アクチュエータドライバ等々）を介して対応する駆動源を駆動制御し、一連の成形行程を実行させる。
【００１４】
前記実測値記憶部１３には、連続自動運転時におけるあらかじめ設定されたモニタ項目の総べての実測データが、連続する所定回数のショットにわたって取り込まれる。取り込まれるモニタ項目としては、時間監視項目、位置監視項目、回転数監視項目、速度監視項目、圧力監視項目、温度監視項目、電力監視項目等が挙げられ、前記した成形運転条件設定項目の重要項目がほぼオーバーラップするようになっている。
【００１５】
前記樹脂粘度算出部１４は、射出速度が一定であるときの実測射出圧力値（前記センサ群４中の射出圧力計測用センサの計測値）を用いて、樹脂粘度を算出する。すなわち、樹脂粘度算出部１４は、射出速度一定の条件においてフリー射出を行う、後述する樹脂粘度計測モードの際の実測射出圧力値、あるいは、場合によっては、金型内に実際に樹脂を射出する際において射出速度が一定であることが保証されているストローク範囲（あるいは時間内）における実測射出圧力値に基づき、後述する計算式を用いて溶融樹脂の粘度を算出する。
【００１６】
前記計測樹脂粘度記憶部１５は、樹脂粘度算出部１４が算出した樹脂粘度（計測樹脂粘度）を、樹脂材料名、樹脂材料製造メーカ名、樹脂材料品種番号、ロット番号などの入力装置２からのオペレータによる入力情報や、樹脂粘度計測時におけるバンドヒータの設定温度条件や、計測日時等々と対応付けて、適宜の格納テーブルの形式で記憶する。
【００１７】
前記表示処理部１６は、入力装置２を操作することによるオペレータの所望表示画像の呼び出し指令によって、あらかじめ作成された表示画像作成・制御プログラムに基づき、指定された表示モードの表示画像データを作成する。この作成された画像データは、図示せぬフレームバッファに転送されて一時記憶され、表示処理部１６の指令によってこのフレームバッファの出力が前記表示装置３に送出されて、表示装置３の表示画面上に画像データが表示される。
【００１８】
次に、樹脂粘度算出部１４による樹脂粘度の算出手法について説明する。剪断応力τ（Ｐａ）は、粘度をη（Ｐａ・ｓｅｃ）、剪断速度をγ（ｓｅｃ−１）としたとき、
τ＝η×γ　　　……（１）式
で表される。
【００１９】
ここで、（１）式で示される剪断速度γ（インラインスクリュー式の射出成形機においてはスクリューの前進速度で示される射出速度に相当）と粘度η（溶融樹脂の粘度）との関係には、つまり、樹脂の粘性については図２に示すような挙動を示すことが確認されており、剪断速度γが１０１〜１０５の範囲内にあれば、剪断速度γの変化に伴って、粘度ηも変化することが確認されている。これに対して、剪断速度γが１０１未満もしくは１０５を超えるときには、剪断速度γの変化の如何にかかわらず、粘度ηはほぼ一定の値を示す。したがって、剪断速度（射出速度）が１０１〜１０５の範囲内におけるある所定の一定値を保っているときには、（１）式から溶融樹脂の粘度を算出することが可能となる。例えば、射出速度１０ｍｍ／ｓｅｃより得られる剪断速度γは、マシンのサイズに関係なく、おおむねγ＝１０３〜１０４程度の値となって、上述した粘度の算出条件を良好に満たすものとなる。一方、射出速度１００ｍｍ／ｓｅｃより得られる剪断速度γは、１００トン以上のマシンではγ＝１０５近傍の値を示すこともあり、適切な速度設定のパラメータではなくなる。よって、本発明では、射出速度（スクリューの前進速度）が５〜５０ｍｍ／ｓｅｃの範囲内のある一定値を保つように制御して、上述した粘度の算出条件を良好に満たす範囲において、樹脂粘度の計測を行うようにしている。
【００２０】
インラインスクリュー式の射出成形機においては、ＪＩＳ　Ｋ７１９９より、前記した剪断応力τと剪断速度γは、射出圧力をＰ（Ｐａ）、ノズル孔の直径をｒ（ｍｍ）、ノズルのランド長をＬ（ｍｍ）、流量をＱ（ｍｍ３／ｓｅｃ）としたとき、
τ＝（Ｐ×ｒ）／（４×Ｌ）　　　……（２）式
γ＝（３２×Ｑ）／（π×ｒ３）　　　……（３）式
でそれぞれ表される。
【００２１】
ここで、流量Ｑは、スクリュー断面積をＡ（ｍｍ２）、射出速度（スクリューの前進速度）をＶ（ｍｍ／ｓｅｃ）とすると、
Ｑ＝Ａ×Ｖ　　　……（４）式
で表されるから、スクリューの直径をＤとすると、（４）式は、
Ｑ＝（π×Ｄ２×Ｖ）／４　　　……（５）式
で表され、（５）式を（３）式に代入すると、
γ＝（８×Ｄ２×Ｖ）／ｒ３　　　……（６）式
となる。
【００２２】
したがって、結局のところ、溶融樹脂の粘度ηは、
η＝（ｒ４×Ｐ）／（３２×Ｌ×Ｄ２×Ｖ）　　　……（７）式
によって、求められることになる。つまり、射出速度が一定の条件であれば、射出圧力Ｐさえ実測すれば、一定に制御する射出速度の値やメカ寸法の値は既知であるので、実測射出圧力値に基づき樹脂粘度を算出することが可能となる。
【００２３】
このような計算式を用いる、本実施形態の射出成形機における樹脂粘度の計測手法によれば、計測された樹脂粘度は、樹脂材料メーカの提示する値とほぼ同等の、精度のよい値が得られることが実験によって確認された。
【００２４】
図３は、加熱シリンダの要部断面を示しており、同図において、２１は加熱シリンダ、２２は加熱シリンダの先端に設けられたノズル（射出ノズル）、２３は加熱シリンダ２１内に回転並びに前後進可能であるように配設されたスクリュー、ＢＨ１〜ＢＨ４は加熱シリンダ２１およびノズル２２の外周に巻装されたバンドヒータであり、ｒ、Ｌ、Ｄは、それぞれ前記したノズル孔の直径、ノズルのランド長、スクリューの直径である。
【００２５】
本実施形態の射出成形機においては、射出速度が一定である条件を満たせば、その間の射出圧力値を測定することによって、樹脂粘度が算出可能である。しかし、金型内に溶融樹脂を射出・充填する際には、金型のキャビティ形状の如何などにより射出速度が変動することも考えられ、あるいは、超高速の射出を行う際には、射出速度が前記した粘度の算出条件を良好に満たす範囲から外れてしまうことも考えられる。そこで、樹脂粘度の測定を行う際には、通常は、加熱シリンダ先端のノズルが金型に非タッチの状態で、かつフィードバック制御による射出速度一定の条件において射出を行う、樹脂粘度の計測モードにおいて（射出速度一定のフリー射出の状態において）、樹脂粘度の測定を行うようにしている。
【００２６】
上記の樹脂粘度の計測モードは、連続成形運転（量産運転）を行う前や、量産運転を中断させた際や、単に樹脂の粘度を知りたい場合や、樹脂替えを行う際などに、オペレータによって適宜に選択設定される。
【００２７】
連続成形運転（量産運転）を行う前や、量産運転を中断させた際に、樹脂粘度の計測モードをとらせた場合には、例えば、射出ストロークの５０％まで量産時の計量制御条件で計量を行わせ、計量完了後に、射出速度を一定の条件（ただし、射出速度は５〜５０ｍｍ／ｓｅｃの範囲内を満たすものとする）でフリー射出を行わせ、この際の射出圧力値を実測して、これに基づき樹脂粘度算出部１４において樹脂粘度を算出する。算出された樹脂粘度は、前記表示装置３上に適宜の形態で表示されると共に、前記計測樹脂粘度記憶部１５に記憶する。このとき、必要に応じて、樹脂材料名、樹脂材料製造メーカ名、樹脂材料品種番号、ロット番号などの入力装置２からのオペレータによる入力情報や、樹脂粘度計測時におけるバンドヒータの設定温度条件や、計測日時等々も、計測樹脂粘度データと併せて、計測樹脂粘度記憶部１５に記憶する。もし、表示された樹脂粘度が所望値から外れていた場合には（例えば、樹脂材料メーカの推奨値から外れていた場合には）、オペレータはバンドヒータの設定温度を変更して、樹脂粘度が所望範囲に収まるようにバンドヒータによる加熱条件を変更する。このとき、あらかじめケーススタディして求めておいた、樹脂粘度と各バンドヒータの設定温度との関係データが、計測樹脂粘度記憶部１５やシステムコントローラ１が管理する適宜のデータベースに格納されている場合には、樹脂粘度を変更するための各部のバンドヒータ温度を表示させて、各バンドヒータの設定温度の変更を促すようにすることも可能である。図４は、原料樹脂としてＰＰＳ（ポリフェニレンサルファイド）樹脂を用い、射出速度を１０ｍｍ／ｓｅｃに設定して射出を行った際の、各バンドヒータＢＨ１〜ＢＨ４の設定温度と樹脂粘度との関係を示すテーブルである。このようなテーブルがあらかじめ用意されていれば、上記したような樹脂粘度を変更・補正するための各部のバンドヒータ温度を表示させることが可能となる。
【００２８】
このように量産運転を行う際にマシン（射出成形機）で樹脂粘度を測定するようになすと、マシン（射出成形機）自体で、その場で、即座に、かつ、量産時と同様の計量条件で、樹脂粘度の測定を精度よく行うことができ、非常に利便性の高いものとなる。これに対し、従来のように専用計測器を用いて樹脂粘度の測定を行うと、時間と手間がかかり、また、量産時とは異なる可塑化条件となる可能性もあって、量産時の樹脂粘度とは異なるデータとなる虞もあった。さらにまた、量産運転を行う際にマシンで樹脂粘度を測定するようになすと、各バンドヒータの設定温度の変更も、設定温度指示のガイダンス表示によって、簡単・容易に行わせることも可能となる。
【００２９】
また、成形運転とは関係なく、単に樹脂の粘度を知りたい場合にも、例えば、射出ストロークの５０％まで、その樹脂材料に応じて設定される量産時と同等の計量制御条件で計量を行わせ、計量完了後に、射出速度を一定の条件（ただし、射出速度は５〜５０ｍｍ／ｓｅｃの範囲内を満たすものとする）でフリー射出を行わせ、この際の射出圧力値を実測して、これに基づき樹脂粘度を算出する。このとき、任意の複数回数だけ計量と射出を繰り返して、各射出において計測した樹脂粘度とこれを統計演算した結果とを表示すると共に、記憶する。記憶するに際しては、必要に応じて、樹脂材料名、樹脂材料製造メーカ名、樹脂材料品種番号、ロット番号などの入力装置２からのオペレータによる入力情報や、樹脂粘度計測時におけるバンドヒータの設定温度条件や、計測日時等々も、併せて記憶する。
【００３０】
このように、成形運転とは関係なく、単に樹脂の粘度を知りたい場合には、同一メーカ・同一樹脂材料のロット毎の樹脂粘度の比較や、同一樹脂材料であるも異なるメーカの樹脂粘度の比較などを、容易に行うことが可能となる。また、同一樹脂材料であるも保管状態が異なり、乾燥の度合いが違うと考えられる樹脂同士の粘度の比較も行えるので、樹脂材料の乾燥状況の把握も可能となる。さらにまた、この場合にも、量産時と同様の計量条件で、樹脂粘度の測定を精度よく行うことができ、かつ、従来のように専用計測器を用意する必要もなくなる。
【００３１】
また、樹脂替えを行う際に樹脂粘度の計測モードをとらせた場合には、樹脂Ａから樹脂Ｂへの樹脂替えを行う自動パージング動作を実行させておいて、この際の各フリー射出の樹脂粘度を計測・監視し、あらかじめ記憶させておいた樹脂Ｂの粘度が計測されると、樹脂替え完了とみなして、自動パージング動作を自動的に停止させるようにすることができる。
【００３２】
このようにすると、従来、オペレータがマシンに付きっきりで、目視によって樹脂替え完了を確認していた場合に比して、オペレータにかかる負担がなくなり、また、樹脂替え完了を正確に判定できるので、樹脂替え時の樹脂量の低減を図ることも可能となる。
【００３３】
図５は、溶融樹脂の計測モードをとった際に、前記表示装置３上に呼び出される溶融粘度計測画面の第１例を示している。この図５の溶融粘度計測画面は、計測モード「１」の瞬時計測モード（１回のみ計測を行うモード）に対応するものであり、表示装置３上に所定表示モードの画面が表示された状態において、所定欄を選択することによって呼び出される。
【００３４】
図５中において、「樹脂名」、「ロットＮｏ．」、「カラー（樹脂の色）」、「グレード」の各欄には、前記入力装置２を用いてオペレータが入力したデータが表示される。また、「樹脂温度」の各欄には、バンドヒータの設置箇所の樹脂温度の実測値が表示される。また、「ノズル径」、「ランド長」、「計量ストローク」、「射出スピード」の各欄には、所定の設定モード画面でオペレータが入力した値が表示される。また、「スクリュ回転」、「背圧」の各欄には、成形時の設定値が表示される。また、「射出圧力」、「ロードセル計測原点」、「計量時間」、「サイクル時間」の各欄には実測値が表示される。
【００３５】
図５中の「計測　ＯＦＦ　スタート」の「スタート」にカーソルをもっていき、エンターキーをプッシュすることで、計測モード「１」の溶融樹脂粘度の計測が開始され、計測された粘度が「溶融粘度」の欄に表示される。
【００３６】
この樹脂粘度の計測時には、ノズル先端は非タッチ状態で、かつ射出速度が低速一定であるため、射出により生じる樹脂圧（ロードセルで検出するスクリュ反力）は、全ストロークにわたりピーク圧などは発生しないものの、射出の立ち上がりの初期時に若干の乱れを生じる場合がある。そこで、本実施形態では、射出圧力の計測ポイントを、射出ストロークの中間位置（射出ストロークの１／２）としてある。なお、射出ストロークの１／３、２／３の２点で測定した樹脂圧値（実測射出圧力値）を平均した値を、粘度算出のために用いる樹脂圧値としてもよい。
【００３７】
図６は、溶融樹脂の計測モードをとった際に、前記表示装置３上に呼び出される溶融粘度計測画面の第２例を示している。この図５の溶融粘度計測画面は、計測モード「２」の樹脂別計測モードに対応するものであり、表示装置３上に所定表示モードの画面が表示された状態において、所定欄を選択することによって呼び出される。
【００３８】
図６に示した計測モード「２」の樹脂別計測モードでは、ノズルタッチ→計量→ノズルバック→射出のサイクルを１０回繰り返し、各回毎に樹脂圧値（実測射出圧力値）を測定して、溶融樹脂粘度を算出する。この計測モード「２」では、「溶融粘度」の欄に求めた粘度の値を１回毎順次表示していき、計１０回の値を表示する。
【００３９】
図７は、本実施形態の射出成形機の計量系および射出系の要部構成を示す図である。図７おいて、３１は計量用サーボモータ、３１ａは計量用サーボモータ３の出力プーリ、３２は出力プーリ３１ａの回転をスクリュー２３の後端に結合されたプーリ３３に伝達するタイミングベルト、３４は射出用サーボモータ、３４ａは射出用サーボモータ３４の出力プーリ、３５は出力プーリ３４ａの回転を回転→直線運動変換メカニズム３６のプーリ３６ａに伝達するタイミングベルト、３６は回転運動を直線運動に変換してスクリュー２３に伝達するためのボールネジ機構等よりなる回転→直線運動変換メカニズム、３７は計量用サーボモータ３１の回転を検出するエンコーダ、３８はスクリュー２３にかかる圧力を検出する（実測射出圧力値を検出する）ロードセル、３９は射出用サーボモータ３４の回転を検出するエンコーダである。なお、計量用サーボモータ３１およびタイミングベルト３２は、スクリュー２３と一体となって前後進するようになっている。
【００４０】
４１はスクリュー回転数フィードバック制御部、４２は速度フィードバック制御部、４３は圧力フィードバック制御部、４４は速度フィードバック制御部４２の出力と圧力フィードバック制御部４３の出力の切り替えを行うスイッチ部で、これらフィードバック制御部４１〜４３、スイッチ部４４は、図１の前記した成形プロセス制御部１２中に設けられる。また、４５は計量用サーボモータ３１を駆動制御するサーボアンプ、４６は射出用サーボモータ３４を駆動制御するサーボアンプで、これらサーボモータ４５、４６は、図１の前記したドライバ群５中に設けられる。
【００４１】
計量工程時には、計量工程の指令値を受けるスクリュー回転数フィードバック制御部４１によって、サーボアンプ４５を介して計量用サーボモータ３１が駆動制御されて、スクリュー２３が回転し、スクリュー２３の先端側に溶融樹脂が蓄えられるにしたがって、スクリュー２３が後退する。このとき、スクリュー回転数フィードバック制御部４１は、エンコーダ３９の出力Ａ３から得られる実測スクリュー位置を監視すると共に、設定スクリュー回転数データと、エンコーダ３７の出力Ａ１から得られる実測スクリュー回転数データとを対比し、計量開始位置からスクリュー２３が所定の後退位置に至るまでの区間を、設定されたスクリュー回転数となるように制御信号を生成して、これをサーボアンプ４５に出力し、計量用サーボモータ３１を駆動制御する。また、計量工程時には、計量工程の指令値を受ける圧力フィードバック制御部４３によって、サーボアンプ４６を介して圧力フィードバック制御により射出用サーボモータ３４が駆動制御されて、これにより、設定された樹脂圧力となるようにスクリュー２３に背圧が付与される。このとき、圧力フィードバック制御部４３は、エンコーダ３９の出力Ａ３から得られる実測スクリュー位置を監視すると共に、設定圧力データと、ロードセル３８の出力Ａ２から得られる実測圧力データとを対比して、計量開始位置からのスクリュー後退位置に対応して設定された樹脂圧力となるように制御信号を生成して、これをサーボアンプ４６に出力し、射出用サーボモータ３４を駆動制御する。
【００４２】
また、射出工程の１次射出工程を速度フィードバック制御で行う場合には、１次射出工程の指令値を受ける速度フィードバック制御部４２によって、サーボアンプ４６を介して速度フィードバック制御により射出用サーボモータ３４が駆動制御されて、これにより、設定された射出速度となるようにスクリュー２３の前進速度が制御される。このとき、速度フィードバック制御部４２は、エンコーダ３９の出力Ａ３から得られる実測スクリュー位置を監視すると共に、位置に応じて設定された設定速度データと、エンコーダ３９の出力Ａ３から得られる位置データを算出して得られる実測速度データとを対比して、射出開始位置からスクリュー前進位置に対応して設定された射出速度となるように制御信号を生成して、これをサーボアンプ４６に出力し、射出用サーボモータ３４を駆動制御する。
【００４３】
このように、電動式の構成をとり、射出工程をフィードバック制御で行うようにした本実施形態の射出成形機では、前述したような溶融樹脂の粘度の計測に際しては、射出速度が５〜５０ｍｍ／ｓｅｃの範囲内の所定値で一定となるように、速度フィードバック制御でフリー射出を行わせ、この際の射出圧力値（実測射出圧力値）をロードセル３８で実測して、これに基づき前記した樹脂粘度算出部１４において樹脂粘度を算出するものとなっている。かように、速度フィードバック制御で射出速度を一定に保つようにすると、射出速度の精度が高いので、樹脂粘度の計測精度を高めることができる。
【００４４】
なお、実測射出圧力値は、射出用サーボモータ３４の実測駆動電流値から得られるトルク値から算出するようにしても、差し支えない。
【００４５】
【発明の効果】
以上のように本発明によれば、射出成形機自体で樹脂粘度の測定を精度よく行うことができ、射出成形機のユーザにとって利便性が大いに高まる。
【図面の簡単な説明】
【図１】本発明の一実施形態に係る射出成形機の要部構成を示すブロック図である。
【図２】樹脂粘度と剪断速度との関係を示す説明図である。
【図３】本発明の一実施形態に係る射出成形機における、加熱シリンダの要部断面図である。
【図４】本発明の一実施形態に係る射出成形機における、各バンドヒータの設定温度と樹脂粘度との関係の１例を示す表図である。
【図５】本発明の一実施形態に係る射出成形機における、表示装置上の表示例を示す説明図である。
【図６】本発明の一実施形態に係る射出成形機における、表示装置上の表示例を示す説明図である。
【図７】本発明の一実施形態に係る射出成形機における、計量系および射出系の要部構成を示す説明図である。
【符号の説明】
１　システムコントローラ
２　入力装置
３　表示装置
４　センサ群
５　ドライバ群
１１　成形条件設定記憶部
１２　成形プロセス制御部
１３　実測値記憶部
１４　樹脂粘度算出部
１５　計測樹脂粘度記憶部
１６　表示処理部
２１　加熱シリンダ
２２　ノズル
２３　スクリュー
ＢＨ１〜ＢＨ４　バンドヒータ
３１　計量用サーボモータ
３１ａ　出力プーリ
３２　タイミングベルト
３３　プーリ
３４　射出用サーボモータ
３４ａ　出力プーリ
３５　タイミングベルト
３６　回転→直線運動変換メカニズム
３６ａ　プーリ
３７　エンコーダ
３８　ロードセル
３９　エンコーダで
４１　スクリュー回転数フィードバック制御部
４２　速度フィードバック制御部
４３　圧力フィードバック制御部
４４　スイッチ部
４５　サーボアンプ
４６　サーボアンプ
【図１】
2004142204.tif 000003
【図２】
2004142204.tif 000004
【図３】
2004142204.tif 000005
【図４】
2004142204.tif 000006
【図５】
2004142204.tif 000007
【図６】
2004142204.tif 000008
【図７】
2004142204.tif 000009